(57)【要約】【課題】  制御装置に表示される制御画像を表示装置に表示することなく、表示装置と制御装置のそれぞれが画像を表示することが可能な表示システム等を提供すること。【解決手段】  表示装置２００が、表示制御情報を受信する通信部２１０と、コンテンツ２２２を記憶する記憶部２２０と、コンテンツ２２０に基づき、画像を生成する画像生成部２４０と、表示部２５０と、前記表示制御情報に基づき、画像生成部２４０および表示部２５０を制御する制御部２３０とを含み、ＰＣ１００が、プロジェクタ２００に前記表示制御情報を送信する通信部２１０と、コンテンツ１２２が編集された編集コンテンツ１２４と、付加画像データ１２６を記憶する記憶部１２０と、編集コンテンツ１２４と、付加画像データ１２６に基づき、制御画像を生成する画像生成部１４０と、当該制御画像を表示する表示部１５０と、前記表示制御情報を生成する制御情報生成部１６０とを含んで構成される。【選択図】      図１
2008269051.tif 000002
【特許請求の範囲】
【請求項１】
表示装置と、当該表示装置の表示を制御する制御装置とを含む表示システムにおいて、
前記表示装置は、
前記制御装置から表示用のコンテンツの表示に関する指示を示す表示制御情報を受信する表示装置側通信部と、
前記コンテンツを記憶する表示装置側記憶部と、
前記コンテンツに基づき、前記コンテンツを示す画像を生成する表示装置側画像生成部と、
当該画像を表示する表示装置側表示部と、
前記表示制御情報に基づき、前記表示装置側画像生成部および前記表示装置側表示部の少なくとも一方を制御する表示装置側制御部と、
を含み、
前記制御装置は、
前記表示装置へ向け前記表示制御情報を送信する制御装置側通信部と、
前記コンテンツが編集された編集コンテンツと、前記表示装置の表示を制御するための制御命令の入力に関する付加画像を表示するための付加画像データとを記憶する制御装置側記憶部と、
前記編集コンテンツまたは前記コンテンツと、前記付加画像データとに基づき、前記コンテンツを示す画像と、前記付加画像とを含む制御画像を生成する制御装置側画像生成部と、
当該制御画像を表示する制御装置側表示部と、
前記制御命令の入力に応じて前記表示制御情報を生成する制御情報生成部と、
を含むことを特徴とする表示システム。
【請求項２】
表示装置と、当該表示装置の表示を制御する制御装置と、表示用のコンテンツを提供する提供装置とを含む表示システムにおいて、
前記表示装置は、
前記制御装置から表示用のコンテンツの表示に関する指示を示す表示制御情報を受信するとともに、前記提供装置から前記コンテンツを受信する表示装置側通信部と、
前記コンテンツに基づき、前記コンテンツを示す画像を生成する表示装置側画像生成部と、
当該画像を表示する表示装置側表示部と、
前記表示制御情報に基づき、前記表示装置側画像生成部および前記表示装置側表示部の少なくとも一方を制御する表示装置側制御部と、
を含み、
前記提供装置は、
前記制御装置から前記コンテンツの提供指示を示す提供制御情報を受信するとともに、前記表示装置へ向け前記コンテンツを送信する提供装置側通信部と、
前記コンテンツを記憶する提供装置側記憶部と、
前記提供制御情報に基づき、前記コンテンツを前記提供装置側通信部に送信させる提供装置側制御部と、
を含み、
前記制御装置は、
前記表示装置へ向け前記表示制御情報を送信するとともに、前記提供装置へ向け前記提供制御情報を送信する制御装置側通信部と、
前記コンテンツが編集された編集コンテンツと、前記表示装置の表示を制御するための制御命令の入力に関する付加画像を表示するための付加画像データとを記憶する制御装置側記憶部と、
前記編集コンテンツまたは前記コンテンツと、前記付加画像データとに基づき、前記コンテンツを示す画像と、前記付加画像とを含む制御画像を生成する制御装置側画像生成部と、
当該制御画像を表示する制御装置側表示部と、
前記制御命令の入力に応じて前記表示制御情報および前記提供制御情報を生成する制御情報生成部と、
を含むことを特徴とする表示システム。
【請求項３】
請求項１、２のいずれかに記載の表示システムにおいて、
前記制御装置は、前記制御装置側画像生成部を制御する制御装置側制御部を含み、
前記表示装置側制御部は、前記表示装置における制御結果を示す制御結果情報を生成し、
前記表示装置側通信部は、前記制御結果情報を前記制御装置へ向け送信し、
前記制御装置側通信部は、前記制御結果情報を受信し、
前記制御装置側制御部は、前記制御結果情報に基づき、前記制御装置側画像生成部および前記制御装置側表示部の少なくとも一方を制御することを特徴とする表示システム。
【請求項４】
請求項１〜３のいずれかに記載の表示システムにおいて、
前記制御装置は、
前記制御命令を入力する入力部と、
前記コンテンツと、前記制御命令とに基づき、前記編集コンテンツを生成するコンテンツ生成部と、
を含み、
前記制御情報生成部は、前記編集コンテンツに基づき、前記表示制御情報を生成し、
前記表示装置が前記コンテンツ生成部を含む場合、前記表示装置側通信部が、前記編集コンテンツを前記制御装置へ向け送信するとともに、前記制御装置側通信部が、前記編集コンテンツを受信することを特徴とする表示システム。
【請求項５】
表示装置と、当該表示装置の表示を制御する制御装置とを用いた表示方法において、
前記表示装置は、表示装置側通信部と、表示用のコンテンツを記憶する表示装置側記憶部と、表示装置側画像生成部と、表示装置側表示部と、表示装置側制御部とを含み、
前記制御装置は、制御装置側通信部と、前記コンテンツが編集された編集コンテンツと、前記表示装置の表示を制御するための制御命令の入力に関する付加画像を表示するための付加画像データとを記憶する制御装置側記憶部と、制御装置側画像生成部と、制御装置側表示部と、制御情報生成部とを含み、
前記制御装置側画像生成部は、前記編集コンテンツまたは前記コンテンツと、前記付加画像データとに基づき、前記コンテンツを示す画像と、前記付加画像とを含む制御画像を生成し、
前記制御装置側表示部は、当該制御画像を表示し、
前記制御情報生成部は、前記制御命令の入力に応じて前記表示制御情報を生成し、
前記制御装置側通信部は、前記表示装置へ向け前記表示制御情報を送信し、
前記表示装置側通信部は、前記制御装置から前記コンテンツの表示に関する指示を示す表示制御情報を受信し、
前記表示装置側制御部は、前記表示制御情報に基づき、前記表示装置側画像生成部および前記表示装置側表示部の少なくとも一方を制御し、
前記表示装置側画像生成部は、前記コンテンツと、前記表示制御情報とに基づき、前記コンテンツを示す画像を生成し、
前記表示装置側表示部は、当該画像を表示することを特徴とする表示方法。
【請求項６】
表示装置と、当該表示装置の表示を制御する制御装置と、表示用のコンテンツを提供する提供装置とを用いた表示方法において、
前記表示装置は、表示装置側通信部と、表示用のコンテンツを記憶する表示装置側記憶部と、表示装置側画像生成部と、表示装置側表示部とを含み、
前記提供装置は、提供装置側通信部と、前記コンテンツを記憶する提供装置側記憶部と、提供装置側制御部とを含み、
前記制御装置は、制御装置側通信部と、前記コンテンツが編集された編集コンテンツと、前記表示装置の表示を制御するための制御命令の入力に関する付加画像を表示するための付加画像データとを記憶する制御装置側記憶部と、制御装置側画像生成部と、制御装置側表示部と、制御情報生成部とを含み、
前記制御装置側画像生成部は、前記編集コンテンツまたは前記コンテンツと、前記付加画像データとに基づき、前記コンテンツを示す画像と、前記付加画像とを含む制御画像を生成し、
前記制御装置側表示部は、当該制御画像を表示し、
前記制御情報生成部は、前記制御命令の入力に応じて前記表示制御情報および前記提供制御情報を生成し、
前記制御装置側通信部は、前記表示装置へ向け前記表示制御情報を送信するとともに、前記提供装置へ向け前記提供制御情報を送信し、
前記提供装置側通信部は、前記制御装置から前記コンテンツの提供指示を示す提供制御情報を受信し、
提供装置側制御部は、前記提供制御情報に基づき、前記コンテンツを前記提供装置側通信部に送信させる制御を行い、
前記提供装置側通信部は、当該制御に応じて前記表示装置へ向け前記コンテンツを送信し、
前記表示装置側通信部は、前記制御装置から前記コンテンツの表示に関する指示を示す表示制御情報を受信するとともに、前記提供装置から前記コンテンツを受信し、
前記表示装置側通信部は、前記表示制御情報に基づき、前記表示装置側画像生成部および前記表示装置側表示部の少なくとも一方を制御し、
前記表示装置側画像生成部は、前記コンテンツに基づき、前記コンテンツを示す画像を生成し、
前記表示装置側表示部は、当該画像を表示することを特徴とする表示方法。
【発明の詳細な説明】
【技術分野】
【０００１】
本発明は、表示装置と当該表示装置を制御する制御装置を用いた表示システムおよび表示方法に関する。
【背景技術】
【０００２】
例えば、プレゼンターが、ノートＰＣ(Personal Computer)の画像を、プロジェクタを用いて投写する場合、ノートＰＣで表示されている画像がそのまま投写されてしまい、操作用の画像、無関係な画像等の聴衆に見せたくない画像も投写されてしまう場合があった。また、ノートＰＣで操作用の画像等を表示しないで操作することは困難であった。
【０００３】
このような問題を解決する手法として、特開２００４−８６２７７号公報では、ＰＣの表示画面にガイダンス枠を表示し、ガイダンス枠の大きさを拡大、縮小、移動させ、ガイダンス枠内の画像データを切り出し、当該画像データを加工してプロジェクタに送信する手法が記載されている。また、当該公報では、プロジェクタの表示解像度に合わせて画像データをリサイズすること、ＰＣの表示画面に表示された複数のウインドウのうち指定されたウインドウの画像データを加工してプロジェクタに送信することが記載されている。すなわち、当該公報の手法は、ノートＰＣで表示されている画像の一部をキャプチャーして当該一部の画像をプロジェクタで投写する手法である。
【特許文献１】特開２００４−８６２７７号公報
【発明の開示】
【発明が解決しようとする課題】
【０００４】
しかし、表示装置および制御装置にあらかじめ表示用のコンテンツが記憶されており、表示装置および制御装置が当該コンテンツに基づいて画像を表示する場合、上記公報の手法を適用することはできない。また、制御装置以外の提供装置に表示用のコンテンツが記憶されており、表示装置が当該コンテンツに基づいて画像を表示する場合も、上記公報の手法を適用することはできない。
【０００５】
本発明の目的は、制御装置に表示される制御画像を表示装置に表示することなく、表示装置と制御装置のそれぞれが表示用のコンテンツに基づいて画像を表示することが可能な表示システムおよび表示方法を提供することにある。
【課題を解決するための手段】
【０００６】
上記課題を解決するため、本発明に係る表示システムは、表示装置と、当該表示装置の表示を制御する制御装置とを含む表示システムにおいて、前記表示装置は、前記制御装置から表示用のコンテンツの表示に関する指示を示す表示制御情報を受信する表示装置側通信部と、前記コンテンツを記憶する表示装置側記憶部と、前記コンテンツに基づき、前記コンテンツを示す画像を生成する表示装置側画像生成部と、当該画像を表示する表示装置側表示部と、前記表示制御情報に基づき、前記表示装置側画像生成部および前記表示装置側表示部の少なくとも一方を制御する表示装置側制御部と、を含み、前記制御装置は、前記表示装置へ向け前記表示制御情報を送信する制御装置側通信部と、前記コンテンツが編集された編集コンテンツと、前記表示装置の表示を制御するための制御命令の入力に関する付加画像を表示するための付加画像データとを記憶する制御装置側記憶部と、前記編集コンテンツまたは前記コンテンツと、前記付加画像データとに基づき、前記コンテンツを示す画像と、前記付加画像とを含む制御画像を生成する制御装置側画像生成部と、当該制御画像を表示する制御装置側表示部と、前記制御命令の入力に応じて前記表示制御情報を生成する制御情報生成部と、を含むことを特徴とする。
【０００７】
また、本発明に係る表示方法は、表示装置と、当該表示装置の表示を制御する制御装置とを用いた表示方法において、前記表示装置は、表示装置側通信部と、表示用のコンテンツを記憶する表示装置側記憶部と、表示装置側画像生成部と、表示装置側表示部と、表示装置側制御部とを含み、前記制御装置は、制御装置側通信部と、前記コンテンツが編集された編集コンテンツと、前記表示装置の表示を制御するための制御命令の入力に関する付加画像を表示するための付加画像データとを記憶する制御装置側記憶部と、制御装置側画像生成部と、制御装置側表示部と、制御情報生成部とを含み、前記制御装置側画像生成部は、前記編集コンテンツまたは前記コンテンツと、前記付加画像データとに基づき、前記コンテンツを示す画像と、前記付加画像とを含む制御画像を生成し、前記制御装置側表示部は、当該制御画像を表示し、前記制御情報生成部は、前記制御命令の入力に応じて前記表示制御情報を生成し、前記制御装置側通信部は、前記表示装置へ向け前記表示制御情報を送信し、前記表示装置側通信部は、前記制御装置から前記コンテンツの表示に関する指示を示す表示制御情報を受信し、前記表示装置側制御部は、前記表示制御情報に基づき、前記表示装置側画像生成部および前記表示装置側表示部の少なくとも一方を制御し、前記表示装置側画像生成部は、前記コンテンツと、前記表示制御情報とに基づき、前記コンテンツを示す画像を生成し、前記表示装置側表示部は、当該画像を表示することを特徴とする。
【０００８】
本発明によれば、表示システムは、制御命令の入力に応じて表示制御情報を生成し、当該表示制御情報を表示装置に送信することにより、制御装置に表示される制御画像を表示装置に表示することなく、表示装置と制御装置のそれぞれが表示用のコンテンツに基づいて画像を適切に表示することができる。
【０００９】
また、本発明に係る表示システムは、表示装置と、当該表示装置の表示を制御する制御装置と、表示用のコンテンツを提供する提供装置とを含む表示システムにおいて、前記表示装置は、前記制御装置から表示用のコンテンツの表示に関する指示を示す表示制御情報を受信するとともに、前記提供装置から前記コンテンツを受信する表示装置側通信部と、前記コンテンツに基づき、前記コンテンツを示す画像を生成する表示装置側画像生成部と、当該画像を表示する表示装置側表示部と、前記表示制御情報に基づき、前記表示装置側画像生成部および前記表示装置側表示部の少なくとも一方を制御する表示装置側制御部と、を含み、前記提供装置は、前記制御装置から前記コンテンツの提供指示を示す提供制御情報を受信するとともに、前記表示装置へ向け前記コンテンツを送信する提供装置側通信部と、前記コンテンツを記憶する提供装置側記憶部と、前記提供制御情報に基づき、前記コンテンツを前記提供装置側通信部に送信させる提供装置側制御部と、を含み、前記制御装置は、前記表示装置へ向け前記表示制御情報を送信するとともに、前記提供装置へ向け前記提供制御情報を送信する制御装置側通信部と、前記コンテンツが編集された編集コンテンツと、前記表示装置の表示を制御するための制御命令の入力に関する付加画像を表示するための付加画像データとを記憶する制御装置側記憶部と、前記編集コンテンツまたは前記コンテンツと、前記付加画像データとに基づき、前記コンテンツを示す画像と、前記付加画像とを含む制御画像を生成する制御装置側画像生成部と、当該制御画像を表示する制御装置側表示部と、前記制御命令の入力に応じて前記表示制御情報および前記提供制御情報を生成する制御情報生成部と、を含むことを特徴とする。
【００１０】
また、本発明に係る表示方法は、表示装置と、当該表示装置の表示を制御する制御装置と、表示用のコンテンツを提供する提供装置とを用いた表示方法において、前記表示装置は、表示装置側通信部と、表示用のコンテンツを記憶する表示装置側記憶部と、表示装置側画像生成部と、表示装置側表示部とを含み、前記提供装置は、提供装置側通信部と、前記コンテンツを記憶する提供装置側記憶部と、提供装置側制御部とを含み、前記制御装置は、制御装置側通信部と、前記コンテンツが編集された編集コンテンツと、前記表示装置の表示を制御するための制御命令の入力に関する付加画像を表示するための付加画像データとを記憶する制御装置側記憶部と、制御装置側画像生成部と、制御装置側表示部と、制御情報生成部とを含み、前記制御装置側画像生成部は、前記編集コンテンツまたは前記コンテンツと、前記付加画像データとに基づき、前記コンテンツを示す画像と、前記付加画像とを含む制御画像を生成し、前記制御装置側表示部は、当該制御画像を表示し、前記制御情報生成部は、前記制御命令の入力に応じて前記表示制御情報および前記提供制御情報を生成し、前記制御装置側通信部は、前記表示装置へ向け前記表示制御情報を送信するとともに、前記提供装置へ向け前記提供制御情報を送信し、前記提供装置側通信部は、前記制御装置から前記コンテンツの提供指示を示す提供制御情報を受信し、提供装置側制御部は、前記提供制御情報に基づき、前記コンテンツを前記提供装置側通信部に送信させる制御を行い、前記提供装置側通信部は、当該制御に応じて前記表示装置へ向け前記コンテンツを送信し、前記表示装置側通信部は、前記制御装置から前記コンテンツの表示に関する指示を示す表示制御情報を受信するとともに、前記提供装置から前記コンテンツを受信し、前記表示装置側通信部は、前記表示制御情報に基づき、前記表示装置側画像生成部および前記表示装置側表示部の少なくとも一方を制御し、前記表示装置側画像生成部は、前記コンテンツに基づき、前記コンテンツを示す画像を生成し、前記表示装置側表示部は、当該画像を表示することを特徴とする。
【００１１】
本発明によれば、表示システムは、制御命令の入力に応じて表示制御情報を生成し、当該表示制御情報を表示装置に送信し、提供制御情報に応じてコンテンツを表示装置に送信することにより、コンテンツが制御装置、表示装置以外の提供装置に記憶されている場合であっても、制御装置に表示される制御画像を表示装置に表示することなく、表示装置と制御装置のそれぞれが表示用のコンテンツに基づいて画像を適切に表示することができる。
【００１２】
また、前記制御装置は、前記制御装置側画像生成部を制御する制御装置側制御部を含み、前記表示装置側制御部は、前記表示装置における制御結果を示す制御結果情報を生成し、前記表示装置側通信部は、前記制御結果情報を前記制御装置へ向け送信し、前記制御装置側通信部は、前記制御結果情報を受信し、前記制御装置側制御部は、前記制御結果情報に基づき、前記制御装置側画像生成部および前記制御装置側表示部の少なくとも一方を制御してもよい。
【００１３】
これによれば、表示システムは、制御装置が、表示装置で適切な制御が行われたことを確認できるため、より確実に画像の表示を制御することができる。
【００１４】
また、前記制御装置は、前記制御命令を入力する入力部と、前記コンテンツと、前記制御命令とに基づき、前記編集コンテンツを生成するコンテンツ生成部と、を含み、前記制御情報生成部は、前記編集コンテンツに基づき、前記表示制御情報を生成し、前記表示装置が前記コンテンツ生成部を含む場合、前記表示装置側通信部が、前記編集コンテンツを前記制御装置へ向け送信するとともに、前記制御装置側通信部が、前記編集コンテンツを受信してもよい。
【００１５】
これによれば、表示システムは、制御命令に応じて編集コンテンツを生成し、当該編集コンテンツに応じて表示制御を行うことができるため、制御装置が編集コンテンツを用いる場合であっても、適切に画像の表示を制御できる。これにより、ユーザーの使い勝手を向上させることができる。
【発明を実施するための最良の形態】
【００１６】
以下、本発明をＰＣとプロジェクタを含む表示システムに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１７】
（第１の実施例）
図１は、第１の実施例における表示システムの機能ブロック図である。表示システムは、表示装置として機能するプロジェクタ２００と、プロジェクタ２００の表示を制御する制御装置として機能するＰＣ１００とを含んで構成されている。
【００１８】
ＰＣ１００は、プロジェクタ２００へ向け表示制御情報等を送信し、プロジェクタ２００から制御結果情報等を受信する通信部１１０と、種々のデータを記憶する記憶部１２０と、制御画像等を生成する画像生成部１４０と、制御画像等を表示する表示部１５０と、画像生成部１４０および表示部１５０を制御する制御部１３０と、表示制御情報等を生成する制御情報生成部１６０と、コンテンツ生成部１７０と、ユーザーの制御命令等を入力する入力部１９０とを含んで構成されている。
【００１９】
また、記憶部１２０は、コンテンツ１２２、コンテンツ生成部１７０によって編集された編集コンテンツ１２４、プロジェクタ２００の表示を制御するための制御命令の入力に関する付加画像を表示するための付加画像データ１２６等を記憶している。
【００２０】
また、プロジェクタ２００は、ＰＣ１００から表示制御情報等を受信し、ＰＣ１００へ向け制御結果情報等を送信する通信部２１０と、コンテンツ２２２等を記憶する記憶部２２０と、コンテンツ２２２に基づき、画像を生成する画像生成部２４０と、画像を表示する表示部２５０と、表示制御情報に基づき、画像生成部２４０および表示部２５０を制御する制御部２３０とを含んで構成されている。
【００２１】
なお、これらの各部の機能を実装するためのハードウェアとしては、以下のものが採用されてもよい。例えば、通信部１１０、２１０としてはＬＡＮボードまたはＵＳＢ通信ユニット等、１２０、２２０としてはＨＤＤ等、制御部１３０、２３０、制御情報生成部１６０、コンテンツ生成部１７０としてはＣＰＵ等、画像生成部１４０、２４０としては画像処理回路等、表示部１５０としては液晶モニタ等、入力部１９０としてはキーボードまたはリモートコントローラ等、表示部２５０としてはランプまたはＬＥＤ、液晶パネル、レンズ等を有する投写ユニット等が採用されてもよい。
【００２２】
次に、コンテンツ生成部１７０等を用いたコンテンツの編集時の処理手順について説明する。図２は、第１の実施例におけるコンテンツの編集時の処理手順を示すフローチャートである。
【００２３】
画像生成部１４０は、コンテンツ１２２と、付加画像データ１２６に基づき、制御画像を生成し、表示部１５０は、当該制御画像を表示する（ステップＳ１）。図３は、第１の実施例における動画像表示時の制御画像３００を示す図である。
【００２４】
制御画像３００は、動画像のコンテンツ１２２に基づく画像である縮小画像３１０と、付加画像データ１２６に基づく付加画像である設定画像３２０、操作画像３３０、制御位置画像３４０、制御内容画像３５０および再生時間画像３６０とを含んで構成されている。
【００２５】
なお、縮小画像３１０は、元の動画像が縮小された画像である。また、設定画像３２０は、プロジェクタ２００の画質調整等を行うための画像である。また、操作画像３３０は、縮小画像３１０の早戻し、逆再生、停止、一時停止、再生、早送りを行うための画像である。また、制御位置画像３４０は、動画像の再生における編集の行われた位置を矢印と数字で示す画像である。
【００２６】
また、制御内容画像３５０は、制御位置画像３４０における数字の位置における制御内容を示す画像である。例えば、図３に示す例では、動画像の再生時に制御位置画像３４０の「１」の時点になった場合、通常よりも遅い速度で再生が開始されることが示されており、動画像の再生時に制御位置画像３４０の「２」の時点になった場合、一時停止が行われることが示されている。
【００２７】
なお、一時停止の場合はユーザーが再生操作を行うことによって「２」の時点より後の動画像が再生される。また、再生時間画像３６０は、現在の再生時間を示す画像である。
【００２８】
図４は、第１の実施例における静止画像表示時の制御画像３０２を示す図である。制御画像３０２は、静止画のコンテンツ１２２に基づく画像である縮小画像３１２と、付加画像データ１２６に基づく付加画像である設定画像３２２、操作画像３３０、残時間画像３６２、コメント画像３７０、画像選択画像３８０および現在時刻画像３９０とを含んで構成されている。
【００２９】
なお、縮小画像３１２は、元の静止画像が縮小された画像である。また、設定画像３２２は、プロジェクタ２００の画質調整等を行うための画像である。また、残時間画像３６２は、プレゼンテーションの設定時間の残り時間を示す画像である。また、コメント画像３７０は、縮小画像３１２と関連付けられたコメント（例えば、プレゼンターが予定している発言内容等）を示す画像である。また、画像選択画像３８０は、一連のプレゼンテーションで用いられる縮小画像３１２以外の静止画像を選択するための画像である。
【００３０】
コンテンツ生成部１７０は、入力部１９０からの情報に基づき、ユーザーによる編集操作（例えば、一時停止、画像の明るさの調整、音量の調整等の制御命令、コメントの入力等）があったかどうかを判定する（ステップＳ２）。
【００３１】
編集操作があった場合、コンテンツ生成部１７０は、コンテンツ１２２と、入力部１９０からの情報に基づき、編集コンテンツ１２４を生成（更新）する（ステップＳ３）。具体的には、例えば、図３に示す動画像の場合、コンテンツ生成部１７０は、「１」の再生時点を示す情報と、制御内容（スピード３）を示す情報とを関連付けて編集コンテンツ１２４に記憶する。また、例えば、図４に示す静止画像の場合、コンテンツ生成部１７０は、縮小画像３１２の識別情報（例えば、ページ番号等）と、コメント画像３７０で示されるコメントとを関連付けて編集コンテンツ１２４に記憶する。
【００３２】
一方、編集操作がなかった場合または編集コンテンツ１２４の生成が行われた場合、制御部１３０は、編集作業が終了したかどうかを判定し（ステップＳ４）、編集作業が終了していない場合は画像生成部１４０を制御して次の制御画像３００、３０２を生成させ、編集作業が終了した場合は一連の処理（ステップＳ１〜Ｓ４の処理）を終了する。
【００３３】
以上の手順により、プレゼンテーション等を行うための編集コンテンツ１２４の生成が完了する。次に、編集コンテンツ１２４を用いたコンテンツ１２２の表示時の処理について説明する。図５は、第１の実施例におけるコンテンツ１２２の表示時の処理手順を示すフローチャートである。
【００３４】
ＰＣ１００の制御情報生成部１６０は、入力部１９０によってユーザーによる表示開始命令が入力された場合、表示開始を示す表示制御情報を生成し、通信部１１０は、当該表示制御情報をプロジェクタ２００へ向け送信する（ステップＳ１１）。
【００３５】
プロジェクタ２００の通信部１１０は、当該表示制御情報を受信し、制御部２３０は、当該表示制御情報に基づき、画像生成部２４０を制御してコンテンツ２２２に基づく画像を生成させ、表示部２５０を制御して当該画像を表示させる（ステップＰ１）。
【００３６】
図６は、第１の実施例における動画像表示時の画像４００を示す図である。また、図７は、第１の実施例における静止画像表示時の画像４０２を示す図である。例えば、プロジェクタ２００では、コンテンツ２２２が動画像の場合、縮小画像３１０に対応した画像４００が表示され、コンテンツ２２２が静止画像の場合、縮小画像３１２に対応した画像４０２が表示される。なお、コンテンツ２２２とコンテンツ１２２は同一のデータであってもよい。
【００３７】
一方、画像生成部１４０は、編集コンテンツ１２４と、付加画像データ１２６に基づき、制御画像３００、３０２を生成し、表示部１５０は、制御画像３００、３０２を表示する（ステップＳ１２）。
【００３８】
また、制御情報生成部１６０は、編集コンテンツ１２４に基づき、一時停止等の制御を行う再生時点になったかどうかを判定することにより、プロジェクタ２００を制御する必要があるかどうかを判定する（ステップＳ１３）。
【００３９】
制御情報生成部１６０は、プロジェクタ２００を制御する必要がある場合、編集コンテンツ１２４に基づき、一時停止や明るさ調整等の制御内容を示す表示制御情報を生成し、通信部１１０は、当該表示制御情報をプロジェクタ２００へ向け送信する（ステップＳ１４）。
【００４０】
通信部２１０は、当該表示制御情報を受信し、制御部２３０は、当該表示制御情報に基づき、画像生成部２４０および表示部２５０（どちらか一方でもよい。）を制御する（ステップＰ２）。
【００４１】
そして、制御部２３０は、一時停止が成功したかどうか等の制御結果を示す制御結果情報を生成し、通信部２１０は、当該制御結果情報をＰＣ１００へ向け送信する（ステップＰ３）。
【００４２】
通信部１１０は、当該制御結果情報を受信し、制御部１３０は、当該制御結果情報と、編集コンテンツ１２４に基づき、画像生成部１４０および表示部１５０（どちらか一方でもよい。）を制御する（ステップＳ１５）。
【００４３】
制御部１３０は、編集コンテンツ１２４に基づき、一連の処理（ステップＳ１１〜Ｓ１５）を終了すべきかどうかを判定し（ステップＳ１６）、終了すべきでない場合は画像生成部１４０等を制御して制御画像３００、３０２の生成等を続行させる。
【００４４】
一方、一連の処理を終了すべき場合（例えば、編集コンテンツ１２４の再生が完了した場合等）、制御情報生成部１６０は、表示終了を示す表示制御情報を生成し、通信部１１０は、当該表示制御情報をプロジェクタ２００へ向け送信する（ステップＳ１７）。
【００４５】
制御部２３０は、通信部２１０によって当該表示終了を示す表示制御情報が受信されたかどうかを判定することにより、一連の処理（ステップＰ１〜Ｐ３）を終了すべきかどうかを判定する（ステップＰ４）。
【００４６】
制御部２３０は、終了すべきでない場合は画像生成部２４０等を制御して画像４００、４０２の生成等を続行させ、終了すべき場合は終了する。
【００４７】
以上のように、本実施例によれば、表示システムは、ＰＣ１００が、制御命令の入力に応じて表示制御情報を生成し、当該表示制御情報を表示装置２００に送信することにより、制御装置１００に表示される制御画像３００、３０２を表示装置２００に表示することなく、表示装置２００と制御装置１００のそれぞれが表示用のコンテンツ２２２、１２２に基づいて画像を適切に表示することができる。
【００４８】
これにより、例えば、プレゼンターがＰＣ１００を操作しながらプロジェクタ２００によるプレゼンテーションを行う場合、ＰＣ１００に表示される付加画像を参加者に見せることなく、快適にプレゼンテーションを行うことができる。また、本実施例によれば、プレゼンターが、参加者に付加画像を見せることなく、プロジェクタ２００で表示されている静止画像の次の画像を画像選択画像３８０で選択して編集することができるため、表示システムは、プレゼンターの使い勝手を向上させることができる。
【００４９】
また、本実施例によれば、プレゼンターは、ＰＣ１００の画面に複数の画像を表示し、各画像を切り替えながら１つの画像のみをプロジェクタ２００で表示することができるため、表示システムは、プレゼンターの使い勝手を向上させることができる。
【００５０】
また、本実施例によれば、表示システムは、制御結果情報を送受信することにより、制御装置１００が、表示装置２００で適切な制御が行われたことを確認できるため、より確実に画像の表示を制御することができる。
【００５１】
また、本実施例によれば、表示システムは、制御命令に応じて編集コンテンツ１２４を生成し、編集コンテンツ１２４に応じて表示制御を行うことができるため、制御装置１００が編集コンテンツ１２４を用いる場合であっても、適切に画像の表示を制御できる。これにより、ユーザーの使い勝手を向上させることができる。
【００５２】
（第２の実施例）
次に、コンテンツを表示装置に提供する提供装置として機能するサーバを用いた表示システムについて説明する。図８は、第２の実施例における表示システムの機能ブロック図である。
【００５３】
本実施例における表示システムは、第１の実施例のＰＣ１００とほぼ同様の構成を有するＰＣ１０１と、第１の実施例のプロジェクタ２００とほぼ同様の構成を有するプロジェクタ２０１と、サーバ５００とを含んで構成されている。
【００５４】
ＰＣ１０１は、上述した表示制御情報に加えてコンテンツ５２２をプロジェクタ２０１に提供させることを指示する提供制御情報を生成する制御情報生成部１６１と、当該提供制御情報をサーバ５００へ向け送信する通信部１１１とを含んで構成されている。なお、その他の構成は第１の実施例のＰＣ１００と同様であるため、説明を省略する。
【００５５】
プロジェクタ２０１は、サーバ５００からコンテンツ５２２を受信する通信部２１１と、受信されたコンテンツ５２２に基づき、画像４００、４０２を生成する画像生成部２４１とを含んで構成されている。また、プロジェクタ２０１は、コンテンツ２２２をあらかじめ記憶する記憶部２２０を有していない。なお、その他の構成は第１の実施例のプロジェクタ２００と同様であるため、説明を省略する。
【００５６】
サーバ５００は、ＰＣ１０１からコンテンツ５２２の提供指示を示す提供制御情報を受信するとともに、プロジェクタ２０１へ向けコンテンツ５２２を送信する通信部５１０と、コンテンツ５２２を記憶する記憶部５２０と、提供制御情報に基づき、コンテンツ５２２を通信部５１０に送信させる制御部５３０とを含んで構成されている。
【００５７】
なお、サーバ５００の各部の機能を実装するためのハードウェアとしては、以下のものが採用されてもよい。例えば、通信部５１０としてはＬＡＮボードまたはＵＳＢ通信ユニット等、制御部５３０としてはＣＰＵ等、記憶部５２０としてはＨＤＤ等が採用されてもよい。
【００５８】
ＰＣ１００の制御情報生成部１６１は、入力部１９０によってユーザーによる表示開始命令が入力された場合、表示開始を示す表示制御情報を生成するとともに、提供開始を示す提供制御情報を生成する。通信部１１０は、当該表示制御情報をプロジェクタ２００へ向け送信するとともに、当該提供制御情報をサーバ５００へ向け送信する。
【００５９】
通信部５１０は、当該提供制御情報を受信し、制御部５３０は、当該提供制御情報に基づき、コンテンツ５２２を通信部５１０に送信させる。なお、コンテンツ５２２の送信手法は、コンテンツ５２２の一部だけを少しずつ送信する手法であってもよいし、コンテンツ５２２の全部を一括して送信する手法であってもよい。
【００６０】
また、ＰＣ１００の制御情報生成部１６１は、表示を終了する場合、表示終了を示す表示制御情報を生成するとともに、提供終了を示す提供制御情報を生成する。通信部１１０は、当該表示制御情報をプロジェクタ２００へ向け送信するとともに、当該提供制御情報をサーバ５００へ向け送信する。
【００６１】
通信部５１０は、当該提供制御情報を受信し、制御部５３０は、当該提供制御情報に基づき、通信部５１０によるコンテンツ５２２の送信を終了させる。なお、コンテンツ５２２の全部を一括して送信する手法の場合、提供終了を示す提供制御情報の生成、送受信等は必要ない。
【００６２】
以上のように、本実施例によれば、表示システムは、ＰＣ１０１が、制御命令の入力に応じて表示制御情報を生成し、当該表示制御情報を表示装置２０１に送信し、サーバ５００が、ＰＣ１０１からの提供制御情報に応じてコンテンツを表示装置２０１に送信することにより、コンテンツ５２２が制御装置１０１、表示装置２０１以外の提供装置５００に記憶されている場合であっても、制御装置１０１に表示される制御画像３００、３０２を表示装置２０１に表示することなく、表示装置２０１と制御装置１０１のそれぞれが表示用のコンテンツ５２２、１２２に基づいて画像を適切に表示することができる。
【００６３】
（その他の実施例）
なお、本発明の適用は上述した実施例に限定されず、種々の変形が可能である。例えば、表示装置が、コンテンツ生成部１７０、入力部１９０の機能を有し、ＰＣ１００が、コンテンツ生成部１７０、入力部１９０の機能を有さなくてもよい。この場合、ユーザーによって表示装置を用いて編集された編集コンテンツ１２４を通信部２１０がＰＣ１００に送信し、通信部１１０が編集コンテンツ１２４を受信し、制御部１３０が編集コンテンツ１２４を記憶部１２０に記憶してもよい。
【００６４】
具体的には、例えば、ＤＶＤプレーヤー一体型のプロジェクタが、ＤＶＤ−ＲＯＭに記録されたコンテンツ１２２を、ユーザーの操作に応じて編集して編集コンテンツ１２４を生成し、編集完了後の編集コンテンツ１２４をＰＣ１００に送信してもよい。
【００６５】
これによれば、表示システムは、ユーザーが表示装置を用いてコンテンツ１２２の編集を行うことができるため、ユーザーの使い勝手を向上させることができる。
【００６６】
また、通信部１１０、１１１および通信部２１０、２１１は、相互に同期情報を送受信して画像や音声を同期させてもよい。また、制御情報生成部１６０、１６１は、表示時においても、入力部１９０からの制御命令に応じて表示制御情報を生成してもよい。
【００６７】
また、制御装置は、ＰＣ１００には限定されず、例えば、携帯電話、画像表示機能を有するリモートコントローラ、画像表示機能を有するデータストレージ等であってもよい。また、表示装置は、プロジェクタ２００には限定されず、例えば、テレビ、液晶モニタ等であってもよい。
【００６８】
また、プロジェクタ２００は、液晶プロジェクタには限定されず、例えば、ＤＭＤ(Digital Micromirror Device)を用いたプロジェクタ等であってもよい。なお、ＤＭＤは米国テキサス・インスツルメンツ社の商標である。
【図面の簡単な説明】
【００６９】
【図１】第１の実施例における表示システムの機能ブロック図である。
【図２】第１の実施例におけるコンテンツの編集時の処理手順を示すフローチャートである。
【図３】第１の実施例における動画像表示時の制御画像を示す図である。
【図４】第１の実施例における静止画像表示時の制御画像を示す図である。
【図５】第１の実施例におけるコンテンツの表示時の処理手順を示すフローチャートである。
【図６】第１の実施例における動画像表示時の画像を示す図である。
【図７】第１の実施例における静止画像表示時の画像を示す図である。
【図８】第２の実施例における表示システムの機能ブロック図である。
【符号の説明】
【００７０】
１００、１０１  ＰＣ（制御装置）、１１０、１１１  通信部、１２０  記憶部、１２２  コンテンツ、１２４  編集コンテンツ、１２６  付加画像データ、１３０  制御部、１４０  画像生成部、１５０  表示部、１６０、１６１  制御情報生成部、１７０  コンテンツ生成部、２００、２０１  プロジェクタ（表示装置）、２１０  通信部、２２０  記憶部、２２２  コンテンツ、２３０  制御部、２４０  画像生成部、２５０  表示部、３００、３０２  制御画像、３１０、３１２  縮小画像、３２０、３２２  設定画像、３３０  操作画像、３４０  制御位置画像、３５０  制御内容画像、３６０  再生時間画像、３６２  残時間画像、３７０  コメント画像、３９０  現在時刻画像、４００、４０２  画像、５００  サーバ（提供装置）
【図１】
2008269051.tif 000003
【図２】
2008269051.tif 000004
【図５】
2008269051.tif 000005
【図８】
2008269051.tif 000006
【図３】
2008269051.tif 000007
【図４】
2008269051.tif 000008
【図６】
2008269051.tif 000009
【図７】
2008269051.tif 000010